(57)【要約】  【課題】  イベント会場に参加した者のみがサブイベントに参加できる機能を実現するイベントサポートシステム等を提供する。  【解決手段】  イベント会場にて行われるイベントに関する設問を提供する設問提供手段と、設問に対応するイベントの進行状況の入力を受付けて、この入力を結果データとして記憶する結果データ記憶手段と、イベント会場へ持ち込まれた携帯端末を一意に認識して記憶する端末認識手段と、この端末認識手段が認識した携帯端末にのみ設問を送信する認証手段と、送信した設問に対する携帯端末からの回答を受信して回答記憶手段に記憶する回答受信手段と、設問に対する回答と当該設問に対する結果データとを比較して正否を判定する判定手段と、対応する携帯端末に判定の結果を送信する判定結果送信手段とを備えたイベントサポートシステム等を提供する。【選択図】  図１
2005182673.tif 000002
【特許請求の範囲】
【請求項１】
イベント会場にて行われるイベントに関する設問を提供する設問提供手段と、
上記設問に対応するイベントの進行状況の入力を受付け、当該入力を結果データとして記憶する結果データ記憶手段と、
上記イベント会場へ持ち込まれた、上記設問手段より設問を取得可能な携帯端末を一意に認識して記憶する端末認識手段と、
上記端末認識手段が認識した携帯端末にのみ上記設問を送信する認証手段と、
上記送信した設問に対する上記携帯端末からの回答を受信して回答記憶手段に記憶する回答受信手段と、
上記設問に対する回答と、当該設問に対する上記結果データとを比較し、当該回答の正否を判定する判定手段と、
対応する携帯端末に上記判定の結果を送信する判定結果送信手段と、
を備えたイベントサポートシステム。
【請求項２】
上記端末認識手段による携帯端末の認識は、
当該携帯端末のイベント会場への持ち込み時に行われる請求項１に記載のイベントサポートシステム。
【請求項３】
上記端末認識手段による携帯端末の認識は、
携帯端末より送信される当該携帯端末の位置情報と、上記イベント会場の位置情報とに基づいて行われる請求項１に記載のイベントサポートシステム。
【請求項４】
上記イベントが複数日に渡って行われる場合、
上記携帯端末と当該携帯端末にて回答された回答の判定結果を上記複数日に渡って累計する累計手段と、
上記累計手段が累計した累計結果を記憶する累計データ記憶手段と、
をさらに備える請求項１〜３のいずれか１項に記載のイベントサポートシステム。
【請求項５】
イベント会場にて行われるイベントに関する設問を提供する設問提供ステップと、
上記設問に対応するイベントの進行状況の入力を受付け、当該入力を結果データとして記憶する結果データ記憶ステップと、
上記イベント会場へ持ち込まれた、上記設問手段より設問を取得可能な携帯端末を一意に認識して記憶する端末認識ステップと、
上記端末認識手段が認識した携帯端末にのみ上記設問を送信する認証ステップと、
上記送信した設問に対する上記携帯端末からの回答を受信して回答記憶手段に記憶する回答受信ステップと、
上記設問に対する回答と、当該設問に対する上記結果データとを比較し、当該回答の正否を判定する判定ステップと、
対応する携帯端末に上記判定の結果を送信する判定結果送信ステップと、
を備えたイベントサポート方法。
【発明の詳細な説明】
【技術分野】
【０００１】
本発明は、イベント会場にて行われるイベントに付加価値を与えるイベントサポートシステム、イベントサポート方法に係り、詳しくは、イベント会場に来場した者にのみ参加資格を与えるイベントサポートシステム、イベントサポート方法に関する。
【背景技術】
【０００２】
近年、嗜好の多様化に対応し、スポーツに限らず様々な分野で種々のイベントが行われている。そしてこのようなイベントは、多チャンネル化されたテレビ放送等でユーザに配信され、ユーザは自宅にて気軽に視聴することが可能となっている。
【０００３】
また、双方向通信に対応するテレビを利用することで、一部のテレビ放送ではユーザが上記イベントに関するクイズ等のサブイベントに参加可能となっている。
【特許文献１】特開２００３−３０９８３１号公報
【発明の開示】
【発明が解決しようとする課題】
【０００４】
上述した状況の下では、ユーザはイベント会場に出向くことなくイベントを視聴することができ、さらにはサブイベントにも参加可能である。この結果、ユーザが直接イベント会場に出向く必要性が低くなるため、テレビ放送を介した視聴料等の取得は増加が予想されるものの、イベント会場にて得られるチケット代等の直接的な収入は一部の人気イベントを除いて減少傾向にあるといえる。
【０００５】
また、イベント会場の来場者が減少すると、当該イベント会場自体が盛り上がりに欠け、結果としてイベント会場の映像を配信するテレビ放送を含めたイベント全体の人気の衰退に繋がる可能性がある。
【０００６】
本発明は上記従来の事情に基づいて提案されたものであって、イベント会場に参加した者のみがサブイベントに参加できるイベントサポートシステム等を提供する事を目的とするものである。
【課題を解決するための手段】
【０００７】
本発明は、上記目的を達成するために以下の手段を採用している。すなわち、本発明に係るイベントサポートシステムは、イベント会場にて行われるイベントに関する設問を提供する設問提供手段と、設問に対応するイベントの進行状況の入力を受付けて、この入力を結果データとして記憶する結果データ記憶手段と、イベント会場へ持ち込まれた携帯端末を一意に認識して記憶する端末認識手段と、この端末認識手段が認識した携帯端末にのみ設問を送信する認証手段と、送信した設問に対する携帯端末からの回答を受信して回答記憶手段に記憶する回答受信手段と、設問に対する回答と当該設問に対する結果データとを比較し、この回答の正否を判定する判定手段と、対応する携帯端末に判定の結果を送信する判定結果送信手段とを備えている。
【０００８】
本発明に係るイベントサポートシステムによれば、イベント会場に来場しているユーザにのみ設問を提供することで、イベント会場に来場していないユーザは当該イベントに関連するサブイベントの参加を不可能とすることができ、イベント会場へ観客を誘致することが可能になる。結果として、観客動員数を増加させ、イベント会場自体を活気付けることができる。また、従来より行われているイベント会場内での抽選とは異なり、イベント結果に応じた判定を行うことが可能になるため、サブイベントの娯楽性を一層高めることが可能になる。
【０００９】
尚、端末認識手段による携帯端末の認識は、携帯端末のイベント会場への持ち込み時に（イベント会場の入り口にて）行われる構成や、携帯端末より送信される当該携帯端末の位置情報と、イベント会場の位置情報（位置の範囲）とに基づいて判定される構成がある。
【００１０】
携帯端末の位置情報とイベント会場の位置情報とに基づいてイベント会場内からのアクセスか否かを判定する場合、イベント会場内か否かの判定を容易に行うことが可能となり、来場時の手続きも簡略化することが可能となる。
【００１１】
尚、イベントが複数日に渡って行われる場合、携帯端末と当該携帯端末にて回答された回答の判定結果を複数日に渡って累計して記憶する累計手段と、累計手段が累計した累計結果を記憶する累計データ記憶手段とを備える構成がある。この構成では、回答の判定結果を当該複数日に渡って累計することで、イベント開催期間中にイベント会場への来場回数が多いユーザほど有利になるため、一層イベント会場へのユーザの誘致効果が得られる。
【００１２】
ここで、イベントサポートシステムは、コンピュータを用いて具体化することができる。その場合、上述した各手段は、コンピュータ上でプログラムを動作させることにより具体化される。
【発明の効果】
【００１３】
本発明に係るイベントサポートシステムでは、イベント会場に来場しているユーザにのみ設問を提供することで、イベント会場に来場していないユーザは当該イベントに関連するサブイベントの参加を不可能とすることができ、イベント会場へ観客を誘致することが可能になる。結果として、観客動員数を増加させ、イベント会場自体を活気付けることができる。また、従来より行われているイベント会場内での抽選とは異なり、イベント結果に応じた判定を行うことが可能になるため、サブイベントの娯楽性を一層高めることが可能になる。
【００１４】
また、携帯端末の位置情報とイベント会場の位置情報とに基づいてイベント会場内からのアクセスか否かを判定する場合、イベント会場内か否かの判定を容易に行うことが可能となり、来場時の手続きも簡略化することが可能となる。
【００１５】
さらに、イベントが複数日に渡って行われる場合、回答の判定結果を当該複数日に渡って累計することで、イベント開催期間中にイベント会場への来場回数が多いユーザほど有利になるため、一層イベント会場へのユーザの誘致効果が得られる。
【発明を実施するための最良の形態】
【００１６】
以下、添付図面を参照して本発明の実施の形態につき説明し、本発明の理解に供する。尚、以下の実施の形態は、本発明を具体化した一例であって、本発明の技術的範囲を限定する性格のものではない。
【００１７】
（実施の形態１）
以下、本発明に係る実施の形態１におけるイベントサポートシステムの処理について説明する。
【００１８】
図１は、イベントサポートシステムを構成するサーバ１０１、端末認識装置１０２、及び携帯端末１０３の概略機能ブロック図であるが、各手段の処理等については後述する。
【００１９】
また、図２は、サーバ１０１の概略構成図であり、ＣＰＵ（Central Processing Unit）２０１、ＲＡＭ（Random Access Memory）２０２、ＲＯＭ（Read Only Memory）２０３、ＨＤＤ２０４及びネットワークＩ／Ｆ（インターフェイス）２０５が内部バス２０６を介して接続されている。上記ＣＰＵ２０１は、例えばＲＡＭ２０２を作業領域として利用し、ＲＯＭ２０３やＨＤＤ２０４等に記憶されているプログラムを実行することで上記図１のサーバ１０１に示した各手段として動作する。上記ネットワークＩ／Ｆ２０５は、ネットワーク１０４と接続されており、他の機器とデータの授受が可能となっている。また、端末認識装置１０２、携帯端末１０３の構成もほぼ上記サーバ１０１と同様であり、上記記憶されているプログラムが異なることで、異なる処理を実行可能となっている。
【００２０】
次に、本実施の形態に係るイベントサポートシステムの処理の詳細について説明する。尚、理解に供するためイベントを野球として具体的に説明する。
【００２１】
イベントサポートシステムは、図３に示すように、イントラネット（イベント会場内ネットワーク）やインターネット等のネットワーク１０４を介して、サーバ１０１、端末認識装置１０２及び携帯端末１０３がそれぞれ通信可能に接続されている。また、端末認識装置１０２は、例えば野球場の入り口など、イベント会場の来場者が必ず通過する場所に設置されている。
【００２２】
このような状態で、携帯端末を有するユーザが野球場を訪れた場合、端末認識装置１０２が備える携帯端末認識手段１１２に携帯端末１０３を認識させる（図４：Ｓ４０１）。当該携帯端末認識手段１１２による認識は様々なものが考えられるが、以下のようなものがある。
【００２３】
例えば、野球場の来場チケットに、申し込み時に登録した携帯端末の電話番号とチケットのシリアル番号とを含むバーコードを印刷しておき、ユーザの来場時に上記携帯認識装置１０２にてユーザが持参したチケットの上記バーコードを読み取らせるのである。これにより、例えば図７に示すように、記憶手段１１１に、ユーザの携帯端末の電話番号７０１と来場した旨を示す来場状況７０２が関連付けられて記憶される。この際、さらにチケットのシリアル番号７０３を関連付けてもよい。
【００２４】
また、例えばサーバ１０１が上記チケットを電子チケットとして上記携帯端末１０３に送信し、携帯端末１０３では、送受信手段１１４にて受信した当該電子チケットを表示手段１１３に表示することで当該電子チケット上のバーコードを携帯端末認識手段１１２に読み取らせてもよい。
【００２５】
また、携帯端末１０３と携帯端末認識手段１１２とが赤外線無線通信等の通信手段を介して通信することで、携帯端末１０３の電話番号と、当該携帯端末１０３内のチケット情報とを携帯端末認識手段１１２を認識することも可能である。
【００２６】
このようにして携帯端末１０３の、野球場内への来場状況が端末認識装置１０２内の記憶手段１１１に記憶されると、続いて携帯端末１０３がサーバ１０１にアクセスを行う。当該アクセスは、例えば野球場内の電光掲示板等にサーバ１０１のURL（Uniform Resource Locator）を表示することでユーザのアクセスを促してもよいし、端末認識装置１０２と携帯端末１０３との通信時に、携帯端末認識装置１０２から携帯端末１０３にURLを送信してもよい。また、電子チケットを送信する際の電子メール等にサーバ１０１のURLを含めておいてもよい。
【００２７】
上記携帯端末１０３が上記URLに基づいてサーバ１０１にアクセスを行うと、当該アクセスは送受信手段１０９を介して認証手段１０７で受付される（図４：Ｓ４０２）。尚この際、上記認証手段１０７は例えば携帯端末１０３に当該携帯端末１０３の電話番号を問い合わせることで、アクセスを行っている携帯端末の電話番号を取得することが可能である。電話番号の通知に対応していなければ、携帯端末１０３の表示手段１１３に電話番号や、あるいはチケット番号を入力させる表示を行い、ユーザが入力手段１１５を用いて当該番号を入力することで対応可能である。
【００２８】
次に、上記認証手段１０７が電話番号、あるいはチケット番号を取得すると、上記端末認識装置１０２の記憶手段１１１にアクセスする。ここで、当該電話番号あるいはチケット番号、に対応するレコードに含まれる来場状況が「来場済み」を表している場合、当該携帯端末は野球場内に存在すると認識し、正常認証とする（図４：Ｓ４０３ＹＥＳ）。
【００２９】
ここで、上記携帯端末１０３が正常認証とされた場合、サーバ１０１内の設問提供手段１０５は設問記憶手段１１６よりあらかじめ記憶された、イベント（ここでは野球）に関係する設問を、例えばHTML（HyperText Markup Language）を用いたフォーマット等で上記携帯端末１０３に送信する（図４：Ｓ４０４）。
【００３０】
具体的な設問の内容は、例えば野球の場合には以下のようなものである。
【００３１】
ａ）１試合単位の設問
・主催者チームの勝敗の予想
・主力打者のホームランの有無
ｂ）１回単位の設問
・主催者チームの得点の有無及び得点数
・対戦相手チームの三振の数
以上の設問をネットワーク１０４を介して送受信手段１１４にて受信すると、携帯端末１０３は、受信した設問を表示手段１１３に表示し、当該表示に対してユーザが入力手段１１５を用いて回答を入力する。
【００３２】
入力された回答は、サーバ１０１の回答受信手段１１７にて受信され、携帯端末１０３の電話番号と当該回答とが関連付けられて回答記憶手段１１８に記憶される（図４：Ｓ４０５→Ｓ４０６）。
【００３３】
以上により、サーバ１０１より与えられた設問に対する携帯端末１０３による回答が完了する。尚、上記認証手段１０７にて、携帯端末は野球場内に存在しないと認識し、即ち異常認証とされた場合には、設問提供手段１０５は上記携帯端末１０３に設問を送信することなく処理を終了する（図４：Ｓ４０３ＮＯ→Ｅｎｄ）。
【００３４】
このような状態のもとでイベントが進行すると、上記設問に対応するイベントの結果が結果データとして入力手段１１０を介して入力され、結果データ記憶手段１０６に記憶される（図５：Ｓ５０１）。当該入力はイベントの進行に基づいて随時入力される。つまり、例えば、上記ｂ）に対応する結果が1回を終了する毎に入力されるのである。
【００３５】
上記結果データが入力されると、判定手段１０８は結果データ記憶手段１０６に記憶された結果データと、回答記憶手段１１８に記憶された回答データを比較することで、各携帯端末毎の回答の正否を判定する（図５：Ｓ５０２）。判定された結果は、例えば回答記憶手段１１８に電話番号と関連付けられて判定結果として記憶される。
【００３６】
続いて、回答を行った携帯端末からのサーバ１０１へのアクセスがあると、上記認証手段１０７が当該携帯端末１０１の電話番号を取得し、当該電話番号に基づいて判定結果送信手段１０９が回答記憶手段１１８より、対応する携帯端末の判定結果を送信する（図５：Ｓ５０３ＹＥＳ→Ｓ５０４）。当然、認証手段１０７にて正常認証されない場合、あるいは回答記憶手段１１８に対応する回答が無い場合には、判定結果を送信することなく処理を終了する（図５：Ｓ５０３ＮＯ→Ｅｎｄ）。
【００３７】
送信された上記判定結果には、回答の正否とその後の手続きの案内等が含まれており、ユーザは例えば正解の場合にはその設問に応じたプレゼントなどの報奨を取得できるのである。
【００３８】
また、試合終了時には、上記ａ）１試合単位の設問  に対する回答の判定が行われ、上記同様にユーザに送信される。尚、判定結果の送信は、ユーザからの取得に限らず、サーバ１０１から直接携帯端末に電話し音声案内などによって判定結果を知らせるものであってもよい。
【００３９】
以上のように、イベント会場に来場しているユーザにのみ設問を提供することで、イベント会場に来場していないユーザは当該イベントに関連するサブイベントの参加を不可能とすることができ、イベント会場へ観客を誘致することが可能になる。結果として、観客動員数を増加させ、イベント会場自体を活気付けることができる。また、従来より行われているイベント会場内での抽選とは異なり、イベント結果に応じた判定を行うことが可能になるため、サブイベントの娯楽性を一層高めることが可能になる。
【００４０】
ところで、上記に述べたのはイベントが1日で完了する場合であるが、例えばプロ野球であれば1シーズン通して行われた結果としてリーグ内での順位が決定される。他のスポーツでも、例えば1つの大会に数日を要するのが通常である（ここでは1大会も1シーズンとして定義する）。このような場合は、上記サーバ１０１に累計手段８０２及び累計データ記憶手段８０３を備えた、図８のサーバ８０１に示す構成としてもよい。
【００４１】
上記累計手段８０２は、上記判定手段１０８による回答の正否の判定（処理Ｓ５０２）後、例えば回答が正解の場合にはその設問に対応する得点を電話番号毎に累積的に加点する。例えば、「主催者チームの勝敗の予想」が正解の場合には８点、「主力打者のホームランの有無」が正解の場合には３点、「主催者チームの得点の有無及び得点数」が正解の場合や、「対戦相手チームの三振の数」が正解の場合には１点をそれぞれ加えていくのである。累計された得点は、電話番号に関連付けて累計データ記憶手段８０３に記憶する。
【００４２】
以後、例えばシーズン終了後に携帯端末からのアクセスがあると、当該累計データや全体に対する順位、報奨、その他の情報を当該携帯端末に送信する。
【００４３】
以上のように、イベントが複数日に渡って行われる場合、回答の判定結果を当該複数日に渡って累計することで、イベント開催期間中にイベント会場への来場回数が多いユーザほど有利になるため、一層イベント会場へのユーザの誘致効果が得られる。
【００４４】
（実施の形態２）
次に、実施の形態２において、イベント会場の来場者の携帯端末からのアクセスであるか否かを判定する端末認識装置１０２の異なる処理方法について説明する。
【００４５】
本実施の形態２では、端末認識装置１０２は、上記実施の形態１にて示したような、イベント会場への持ち込み時の処理を行わない。つまりユーザは、例えばイベント会場の入り口ではチケットを担当者に見せるのみであり、この時点では携帯端末１０３は使用しないのである。
【００４６】
このようにして入場したユーザが携帯端末１０３を利用してサーバ１０１にアクセスを行うと、認証手段１０７は図４に示した処理Ｓ４０３にて、上記電話番号、チケット番号に加えて携帯端末１０３の位置情報を携帯端末１０３より取得する（図６：Ｓ６０１）。携帯端末１０３の位置情報は、現在販売されている携帯端末であって、ＧＰＳ（Global Positioning System）を備えているものであれば当該ＧＰＳより得ることが可能である。また、携帯端末の基地局の位置より携帯端末の位置情報を提供するサービスが行われている場合であれば、サービスを行っているキャリアから取得してもよい。
【００４７】
上記認証手段１０７が上記携帯端末の位置情報を取得すると、当該位置情報を携帯端末認識手段１１２に送信し、当該携帯端末認識手段１１２は、得られた位置情報がイベント会場の位置情報の範囲内にあるか否かを判定する（図６：Ｓ６０２）。
【００４８】
ここで、携帯端末から得られた位置情報がイベント会場の位置情報の範囲内であれば、認証手段１０７は当該携帯端末がイベント会場内からアクセスを行っていると判定し、認証結果を正常とするのである（図６：Ｓ６０３ＹＥＳ→Ｓ６０４）。当然、上記範囲内に無ければイベント会場以外からのアクセスであると判定し、即ち認証結果を異常とする（図６：Ｓ６０３ＮＯ→Ｅｎｄ）。以後、電話番号やチケットのシリアル番号を記憶するのは上記実施の形態１と同様である。
【００４９】
以上のように、携帯端末の位置情報とイベント会場の位置情報とに基づいてイベント会場内からのアクセスか否かを判定することで、イベント会場内か否かの判定を容易に行うことが可能となり、来場時の手続きも簡略化することが可能となる。
【産業上の利用可能性】
【００５０】
本発明に係るイベントサポートシステム、イベントサポート方法は、イベント会場に来場していないユーザにはサブイベントへの参加を不可能とするため、イベント会場へ観客を誘致することが可能になり、さらにイベントが複数日に渡って行われる場合にはイベント開催期間中にイベント会場への来場回数が多いユーザほど有利になり、一層イベント会場へのユーザの誘致効果が得られるため、イベント会場にて行われるイベントに付加価値を与えるイベントサポートシステム等として有用である。
【図面の簡単な説明】
【００５１】
【図１】イベントサポートシステムを構成するサーバ、端末認識装置、及び携帯端末の概略機能ブロック図。
【図２】サーバの概略構成図。
【図３】イベントサポートシステムを構成する各機器の接続例。
【図４】設問・回答送受信処理を示すフローチャート。
【図５】判定処理を示すフローチャート。
【図６】実施の形態２における認証処理を示すフローチャート。
【図７】携帯端末認識手段を構成する記憶手段内の、来場状況を示すテーブルの一例。
【図８】累計手段及び累計データ記憶手段を備えたサーバの概略機能ブロック図。
【符号の説明】
【００５２】
１０１  サーバ
１０２  端末認識装置
１０３  携帯端末
１０４  ネットワーク
１０５  設問提供手段
１０６  結果データ記憶手段
１０７  認証手段
１０８  判定手段
１０９  送受信手段（判定結果送信手段を構成）
１１０  入力手段（サーバ側）
１１１  記憶手段
１１２  携帯端末認識手段
１１３  表示手段
１１４  送受信手段
１１５  入力手段（携帯端末側）
１１６  設問記憶手段
１１７  回答受信手段
１１８  回答記憶手段
【図１】
2005182673.tif 000003
【図２】
2005182673.tif 000004
【図３】
2005182673.tif 000005
【図４】
2005182673.tif 000006
【図５】
2005182673.tif 000007
【図６】
2005182673.tif 000008
【図７】
2005182673.tif 000009
【図８】
2005182673.tif 000010